(57)【要約】【課題】正確な情報を取得してスコア付けが可能なゴルフ支援システム及び携帯情報端末を提供する。【解決手段】ゴルフ支援システム１００は、ゴルフのプレイに使用するゴルフクラブ６に設けられたＩＣタグ６０と、近距離無線通信が可能な携帯情報端末１とを備え、ＩＣタグ６０は、ゴルフクラブ６に関し、スコア作成に必要な情報であるゴルフ情報を記憶し、携帯情報端末１は、プレイヤがＩＣタグ６０をその携帯情報端末１に近づけてＩＣタグ６０を読み取らせることで、近距離無線通信によってＩＣタグ６０に記憶されたゴルフ情報を受信するタグ情報受信部１１と、受信したゴルフ情報を利用してプレイのスコアを作成するスコア作成部１２と、を有する。【選択図】図１
2014026513.tif 000002
【特許請求の範囲】
【請求項１】
ゴルフのプレイに使用するゴルフ用品に設けられたＩＣタグと、
近距離無線通信が可能な携帯情報端末と、
を備え、
前記ＩＣタグは、前記ゴルフ用品に関し、スコア作成に必要な情報であるゴルフ情報を記憶し、
前記携帯情報端末は、
プレイヤが前記ＩＣタグをその携帯情報端末に近づけて前記ＩＣタグを読み取らせることで、前記近距離無線通信によって前記ＩＣタグに記憶された前記ゴルフ情報を受信するタグ情報受信部と、
受信した前記ゴルフ情報を利用して前記プレイのスコアを作成するスコア作成部と、
を有すること、
を特徴とするゴルフ支援システム。
【請求項２】
請求項１に記載のゴルフ支援システムにおいて、
前記ゴルフ用品は、ゴルフクラブであり、
前記ＩＣタグは、前記ゴルフ情報として前記ゴルフクラブに関する情報を記憶していること、
を特徴とするゴルフ支援システム。
【請求項３】
請求項１又は請求項２に記載のゴルフ支援システムにおいて、
前記ゴルフ用品は、打数を把握可能な打数札であり、
前記ＩＣタグは、前記ゴルフ情報として前記打数札に関する情報が記憶されていること、
を特徴とするゴルフ支援システム。
【請求項４】
請求項１から請求項３までのいずれかに記載のゴルフ支援システムにおいて、
ホールごとに配設され、少なくともそのホールの基準打数を含むホールに関するホール情報を記憶したホールタグを備え、
前記携帯情報端末は、
前記ホールタグから前記ホール情報を受信するホール情報受信部と、
前記ホール情報受信部により受信した前記ホール情報を記憶するホール情報記憶部と、
を有し、
前記携帯情報端末の前記スコア作成部は、前記ゴルフ情報に前記ホール情報を反映させて、前記スコアを作成すること、
を特徴とするゴルフ支援システム。
【請求項５】
請求項１から請求項４までのいずれかに記載のゴルフ支援システムにおいて、
前記携帯情報端末は、
少なくともそのホールの基準打数を含むホールに関するホール情報を記憶するホール情報記憶部と、
前記携帯情報端末の位置情報を取得する位置取得部と、
前記タグ情報受信部により前記ゴルフ情報を受信したことに応じて、前記位置取得部が取得した前記位置情報を、前記ゴルフ情報に対応付けて記憶する位置情報記憶部と、
を有し、
前記スコア作成部は、前記位置情報記憶部に記憶された前記位置情報及び前記ゴルフ情報に、前記ホール情報記憶部に記憶された前記ホール情報を反映させて、前記スコアを作成すること、
を特徴とするゴルフ支援システム。
【請求項６】
請求項５に記載のゴルフ支援システムにおいて、
前記携帯情報端末の前記スコア作成部は、前記位置取得部が取得した前記位置情報に基づいて、そのホールの気象に関する気象情報を受信することで、前記気象情報を対応付けて前記スコアを作成すること、
を特徴とするゴルフ支援システム。
【請求項７】
請求項１から請求項６までのいずれかに記載のゴルフ支援システムにおいて、
前記携帯情報端末は、他の前記携帯情報端末とピアツーピアによる近距離無線通信を行う近距離通信部を備え、
前記携帯情報端末の前記近距離通信部は、前記他の携帯情報端末のプレイヤのスコアを前記他の携帯情報端末から受信すること、
を特徴とするゴルフ支援システム。
【請求項８】
請求項１から請求項７までのいずれかに記載のゴルフ支援システムにおいて、
サーバを備え、
前記携帯情報端末は、
前記スコアを前記サーバに送信するスコア送信部を有し、
前記サーバは、
前記携帯情報端末から受信した前記スコアを記憶するスコア記憶部と、
前記スコア記憶部に記憶された前記スコアを分析するスコア分析部と、
を有すること、
を特徴とするゴルフ支援システム。
【請求項９】
請求項８に記載のゴルフ支援システムにおいて、
前記携帯情報端末は、
少なくともそのホールを特定する情報を含む問合せ情報を送信する問合せ送信部と、
前記サーバから受信した選出スコアを表示する表示制御部と、
を有し、
前記サーバは、
前記携帯情報端末から受信した前記問合せ情報に基づき前記スコア記憶部に記憶され、前記スコア分析部により分析された結果によりスコアを選出して送信するスコア選出部を有すること、
を特徴とするゴルフ支援システム。
【請求項１０】
請求項１から請求項９までのいずれかに記載のゴルフ支援システムにおいて、
前記ＩＣタグは、ＮＦＣタグであり、
前記近距離無線通信は、ＮＤＥＦによる通信であること、
を特徴とするゴルフ支援システム。
【請求項１１】
近距離無線通信が可能な携帯情報端末であって、
プレイヤがゴルフのプレイに使用するゴルフ用品に設けられたＩＣタグをその携帯情報端末に近づけて前記ＩＣタグを読み取らせることで、前記近距離無線通信によって前記ＩＣタグに記憶された前記ゴルフ用品に関しスコア作成に必要な情報であるゴルフ情報を受信するタグ情報受信部と、
受信した前記ゴルフ情報を利用して前記プレイのスコアを作成するスコア作成部と、
を備えること、
を特徴とする携帯情報端末。
【発明の詳細な説明】
【技術分野】
【０００１】
本発明は、ゴルフ支援システム及び携帯情報端末に関する。
【背景技術】
【０００２】
ゴルフのプレイヤは、ゴルフのプレイ中には、よいスコアを出すためにプレイに集中したいという欲求がある。一方、プレイ後には、そのプレイをスコア等から振り返り、プレイを反省したり研究したり、他のプレイヤにスコアや腕前を自慢したりする。従来、ゴルフをするプレイヤを支援する様々な方法が提案されている。
【０００３】
例えば、ゴルフクラブの使用履歴として、ゴルフクラブに取り付けられたＩＣタグの情報をタグリーダが受信して、位置情報と取得時刻とを管理サーバに送信することで、ラウンド履歴情報を一元管理するラウンド履歴管理システムが提案されている（例えば、特許文献１）。
【先行技術文献】
【特許文献】
【０００４】
【特許文献１】特開２００６−３３８３３６号公報
【発明の概要】
【発明が解決しようとする課題】
【０００５】
特許文献１は、タグリーダのアンテナをプレイヤの腰付近に取り付け、プレイヤがショットするためにゴルフクラブを構えた体勢になると、そのゴルフクラブに取り付けたＩＣタグから送信されたＩＣタグ識別情報をタグリーダのアンテナが受信して、ゴルフクラブを特定するものである。この場合、例えば、プレイヤがクラブを決定するまでの段階として、ボールの脇に立って素振り等をした場合にもＩＣタグ識別情報を受信してしまう。よって、特許文献１では、タグリーダが不正確なＩＣタグ識別情報を受信してしまい、正確なスコアが作成できない可能性が高かった。
【０００６】
そこで、本発明は、正確な情報を取得してスコア付けが可能なゴルフ支援システム及び携帯情報端末を提供することを目的とする。
【課題を解決するための手段】
【０００７】
本発明は、以下のような解決手段により、前記課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００８】
第１の発明は、ゴルフのプレイに使用するゴルフ用品に設けられたＩＣタグ（６０，２４０）と、近距離無線通信が可能な携帯情報端末（１，２０１）と、を備え、前記ＩＣタグは、前記ゴルフ用品に関し、スコア作成に必要な情報であるゴルフ情報を記憶し、前記携帯情報端末は、プレイヤが前記ＩＣタグをその携帯情報端末に近づけて前記ＩＣタグを読み取らせることで、前記近距離無線通信によって前記ＩＣタグに記憶された前記ゴルフ情報を受信するタグ情報受信部（１１，２１１）と、受信した前記ゴルフ情報を利用して前記プレイのスコアを作成するスコア作成部（１２，２１２）と、を有すること、を特徴とするゴルフ支援システム（１００，２００）である。
第２の発明は、第１の発明のゴルフ支援システム（１００）において、前記ゴルフ用品は、ゴルフクラブ（６）であり、前記ＩＣタグ（６０）は、前記ゴルフ情報として前記ゴルフクラブに関する情報を記憶していること、を特徴とするゴルフ支援システムである。
第３の発明は、第１の発明又は第２の発明のゴルフ支援システム（２００）において、前記ゴルフ用品は、打数を把握可能な打数札（２０４）であり、前記ＩＣタグ（２４０）は、前記ゴルフ情報として前記打数札に関する情報が記憶されていること、を特徴とするゴルフ支援システムである。
第４の発明は、第１の発明から第３の発明までのいずれかのゴルフ支援システム（２００）において、ホールごとに配設され、少なくともそのホールの基準打数を含むホールに関するホール情報を記憶したホールタグ（２５０）を備え、前記携帯情報端末（２０１）は、前記ホールタグから前記ホール情報を受信するホール情報受信部（２１１）と、前記ホール情報受信部により受信した前記ホール情報を記憶するホール情報記憶部（２２２）と、を有し、前記携帯情報端末の前記スコア作成部（２１２）は、前記ゴルフ情報に前記ホール情報を反映させて、前記スコアを作成すること、を特徴とするゴルフ支援システムである。
第５の発明は、第１の発明から第４の発明までのいずれかのゴルフ支援システム（１００）において、前記携帯情報端末（１）は、少なくともそのホールの基準打数を含むホールに関するホール情報を記憶するホール情報記憶部（２２）と、前記携帯情報端末の位置情報を取得する位置取得部（１３）と、前記タグ情報受信部（１１）により前記ゴルフ情報を受信したことに応じて、前記位置取得部が取得した前記位置情報を、前記ゴルフ情報に対応付けて記憶する位置情報記憶部（２４）と、を有し、前記スコア作成部（１２）は、前記位置情報記憶部に記憶された前記位置情報及び前記ゴルフ情報に、前記ホール情報記憶部に記憶された前記ホール情報を反映させて、前記スコアを作成すること、を特徴とするゴルフ支援システムである。
第６の発明は、第５の発明のゴルフ支援システム（１００）において、前記携帯情報端末（１）の前記スコア作成部（１２）は、前記位置取得部（１３）が取得した前記位置情報に基づいて、そのホールの気象に関する気象情報を受信することで、前記気象情報を対応付けて前記スコアを作成すること、を特徴とするゴルフ支援システムである。
第７の発明は、第１の発明から第６の発明までのいずれかのゴルフ支援システム（１００，２００）において、前記携帯情報端末（１，２０１）は、他の前記携帯情報端末（１，２０１）とピアツーピアによる近距離無線通信を行う近距離通信部（３３）を備え、前記携帯情報端末の前記近距離通信部は、前記他の携帯情報端末のプレイヤのスコアを前記他の携帯情報端末から受信すること、を特徴とするゴルフ支援システムである。
第８の発明は、第１の発明から第７の発明までのいずれかのゴルフ支援システム（１００）において、サーバ（８）を備え、前記携帯情報端末（１）は、前記スコアを前記サーバに送信するスコア送信部（１４）を有し、前記サーバは、前記携帯情報端末から受信した前記スコアを記憶するスコア記憶部（８６）と、前記スコア記憶部に記憶された前記スコアを分析するスコア分析部（８１）と、を有すること、を特徴とするゴルフ支援システムである。
第９の発明は、第８の発明のゴルフ支援システム（１００）において、前記携帯情報端末（１）は、少なくともそのホールを特定する情報を含む問合せ情報を送信する問合せ送信部（１５）と、前記サーバ（８）から受信した選出スコアを表示する表示制御部（１６）と、を有し、前記サーバは、前記携帯情報端末から受信した前記問合せ情報に基づき前記スコア記憶部（８６）に記憶され、前記スコア分析部（８１）により分析された結果によりスコアを選出して送信するスコア選出部（８２）を有すること、を特徴とするゴルフ支援システムである。
第１０の発明は、第１の発明から第９の発明までのいずれかのゴルフ支援システム（１００，２００）において、前記ＩＣタグ（６０，２４０）は、ＮＦＣタグであり、前記近距離無線通信は、ＮＤＥＦによる通信であること、を特徴とするゴルフ支援システムである。
【０００９】
第１１の発明は、近距離無線通信が可能な携帯情報端末（１，２０１）であって、プレイヤがゴルフのプレイに使用するゴルフ用品に設けられたＩＣタグ（６０，２４０）をその携帯情報端末に近づけて前記ＩＣタグを読み取らせることで、前記近距離無線通信によって前記ＩＣタグに記憶された前記ゴルフ用品に関しスコア作成に必要な情報であるゴルフ情報を受信するタグ情報受信部（１１，２１１）と、受信した前記ゴルフ情報を利用して前記プレイのスコアを作成するスコア作成部（１２，２１２）と、を備えること、を特徴とする携帯情報端末である。
【発明の効果】
【００１０】
本発明によれば、正確な情報を取得してスコア付けが可能なゴルフ支援システム及び携帯情報端末を提供することができる。
【図面の簡単な説明】
【００１１】
【図１】第１実施形態に係るゴルフ支援システムの全体構成及び各装置の機能構成を示す図である。
【図２】第１実施形態に係る携帯情報端末とゴルフクラブとの使用例を示す図である。
【図３】第１実施形態に係るゴルフクラブに対応するＩＣタグの例を示す図である。
【図４】第１実施形態に係るプレイ前処理のフローチャートである。
【図５】第１実施形態に係る携帯情報端末のプレイ中処理のフローチャートである。
【図６】第１実施形態に係る携帯情報端末のプレイ中処理のフローチャートである。
【図７】第１実施形態に係る携帯情報端末の表示部に表示される画面例を示す図である。
【図８】第１実施形態に係る携帯情報端末の表示部に表示される画面例を示す図である。
【図９】第１実施形態に係る問合せ処理のフローチャートである。
【図１０】第１実施形態に係るプレイ後処理のフローチャートである。
【図１１】第１実施形態に係るプレイヤ同士でのスコアの通信に関する図である。
【図１２】第２実施形態に係るゴルフ支援システムの全体構成及び携帯情報端末の機能構成を示す図である。
【図１３】第２実施形態に係るＩＣタグの例を示す図である。
【図１４】第２実施形態に係る携帯情報端末のプレイ中処理のフローチャートである。
【図１５】第２実施形態に係る携帯情報端末の記憶部に記憶されるデータの例を示す図である。
【図１６】変形形態に係るゴルフクラブに関するデータを有するＩＣタグの例を示す図である。
【発明を実施するための形態】
【００１２】
以下、本発明を実施するための形態について、図を参照しながら説明する。なお、これは、あくまでも一例であって、本発明の技術的範囲はこれに限られるものではない。
【００１３】
（第１実施形態）
図１は、第１実施形態に係るゴルフ支援システム１００の全体構成及び各装置の機能構成を示す図である。図２は、第１実施形態に係る携帯情報端末１とゴルフクラブ６との使用例を示す図である。図３は、第１実施形態に係るゴルフクラブ６に対応するＩＣタグ６０の例を示す図である。
（システム構成）
図１に示すように、ゴルフ支援システム１００は、携帯情報端末１と、風速計３と、ゴルフクラブ６と、施設情報端末７と、サーバ８とを備える。
【００１４】
ゴルフ支援システム１００は、プレイヤからのスコアの入力操作を不要として、ゴルフのスコアを作成する他、プレイのナビゲーションを行うことができるものである。また、ゴルフ支援システム１００は、プレイヤ同士でスコアを交換したり、プレイのアドバイスを得ることができるものである。
携帯情報端末１は、図２に示すようにプレイヤの腰付近に装着可能であり、装着時でも、プレイの妨げにならない程度の大きさの端末である。携帯情報端末１は、プレイヤが手入力による操作を行うことなく、プレイのスコアを作成する。
携帯情報端末１は、制御部１０と、記憶部２０と、表示部３１と、入力部３２と、ＮＦＣ（Ｎｅａｒ  Ｆｉｅｌｄ  Ｃｏｍｍｕｎｉｃａｔｉｏｎ）通信部３３（近距離通信部）と、通信部３４とを備える。
制御部１０は、携帯情報端末１の全体を制御するＣＰＵ（中央処理装置）である。制御部１０は、記憶部２０に記憶されているオペレーティングシステム（ＯＳ）や、各種のアプリケーションプログラムを適宜読み出して実行することにより、上述したハードウェアと協働し、本発明に係る各種機能を実現している。
制御部１０は、タグ情報受信部１１と、スコア作成部１２と、位置取得部１３と、スコア送信部１４と、問合せ送信部１５と、表示制御部１６とを備える。
【００１５】
タグ情報受信部１１は、ＮＦＣ通信部３３を介して、ＩＣ（Ｉｎｔｅｇｒａｔｅｄ  Ｃｉｒｃｕｉｔ）タグ６０に記憶されたデータ（ゴルフ情報）を受信する。
スコア作成部１２は、タグ情報受信部１１により受信したデータに、後述するホールの地図や位置データを反映することで、ゴルフのスコアを作成する。
位置取得部１３は、ＧＰＳ（Ｇｌｏｂａｌ  Ｐｏｓｉｔｉｏｎｉｎｇ  Ｓｙｓｔｅｍ）衛星２から受信した電波の強度を利用して、携帯情報端末１の現在の位置データ（緯度・経度）を計測して取得する。
スコア送信部１４は、スコア作成部１２で作成したプレイヤのスコアを送信する。
問合せ送信部１５は、他のプレイヤのスコアを得るための問合せデータを送信する。
表示制御部１６は、表示部３１にスコアを表示させるための制御を行う。
【００１６】
記憶部２０は、制御部１０を実行するために必要なプログラム、データ等を記憶するための半導体メモリ素子等の記憶領域である。
記憶部２０は、プログラム記憶部２１と、コース情報記憶部２２と、プレイ情報記憶部２４と、プレイヤ情報記憶部２５とを備える。
プログラム記憶部２１は、プログラムを記憶する記憶領域である。プログラム記憶部２１は、本実施形態を実現するためのゴルフ支援プログラムを記憶する。
コース情報記憶部２２は、施設情報端末７から受信したコースデータである、コースに関するデータと、ホールごとのホール情報２３（２３ａ、２３ｂ、・・・）とを格納する。コースに関するデータは、例えば、コースの名称や所在、コース設計者等のデータである。ホール情報２３は、そのホールの基準打数や、そのホールの難易度（ＨＤＣＰ）、ティーからピンまでのヤード数、本日のピンの位置を含むホールの地図等のデータである。ホール情報２３は、後述するホールに設置された風速計３を特定する識別ＩＤ（ＩＤｅｎｔｉｆｉｅｒ）も記憶する。
プレイ情報記憶部２４は、プレイヤが実際にプレイで使用したゴルフクラブ６のＩＣタグ６０のデータと、そのデータを受信した位置データとを記憶する。
プレイヤ情報記憶部２５は、プレイヤのデータとして、プレイヤＩＤ、氏名、年齢等を記憶する。
【００１７】
表示部３１は、表示デバイスであり、例えば、液晶パネル等で構成される。
入力部３２は、各種操作入力を行うための、例えば、ボタン等で構成される。なお、表示部３１と入力部３２とは、両方の機能を併せ持つタッチパネルであってもよい。
ＮＦＣ通信部３３は、ＮＦＣの仕様により作成された集積回路（図示せず）と、ループアンテナ（図示せず）とを備える。ＮＦＣ規格（ＩＳＯ／ＩＥＣ１８０９２（ＮＦＣ  ＩＰ−１）、ＩＳＯ／ＩＥＣ２１４８１（ＮＦＣ  ＩＰ−２））では、１３．５６ＭＨｚの電波を使い、１０ｃｍ程度の至近距離でデータ通信を行う近距離無線通信が可能である。ＮＦＣ通信部３３は、例えば、ＮＤＥＦ（ＮＦＣ  Ｄａｔａ  Ｅｘｃｈａｎｇｅ  Ｆｏｒｍａｔ）によるＮＦＣ規格に基づく通信を利用して、他のプレイヤの携帯情報端末１と通信する。
通信部３４は、ＧＰＳ衛星２、風速計３、サーバ８等との間で通信を行うための通信インタフェースである。
なお、携帯情報端末１は、図示していないが、携帯情報端末１に対して電力を供給するバッテリを備えており、また、時刻を計測するための時計回路や、音声を出力する音声出力部や、音声を入力する音声入力部を備えてもよい。
【００１８】
ＧＰＳ衛星２は、ＧＰＳに使用される衛星である。ＧＰＳ衛星２は、電波を地上に送信している。携帯情報端末１の位置取得部１３は、複数のＧＰＳ衛星２からの電波を受信して、それぞれのＧＰＳ衛星２との距離を割り出すことにより、現在位置を測定する。
風速計３は、各ホールのティーグラウンド付近に設けられている。風速計３には、識別ＩＤが付与されている。風速計３から風速及び風向のデータ（気象情報）を受信した携帯情報端末１は、その識別ＩＤにより、どのホールに設置されたものであるかが把握可能になっている。風速計３は、図示していないが、風速及び風向を計測する計測部の他、制御部、通信部等を備える。風速計３が測定した風速及び風向のデータは、通信回線を介して携帯情報端末１に送信される。
【００１９】
ゴルフクラブ６（６ａ、６ｂ、・・・）は、プレイヤ所有のゴルフクラブである。ゴルフクラブ６は、ＩＣタグ６０（６０ａ、６０ｂ、・・・）を有する。ＩＣタグ６０は、携帯情報端末１との間で近距離無線通信による非接触通信するＲＦＩＤタグである。ＩＣタグ６０は、本実施形態では、ＮＦＣの仕様により作成された集積回路（図示せず）とループアンテナ（図示せず）とを備える。携帯情報端末１のタグ情報受信部１１は、ＮＦＣ通信部３３を介してＮＦＣ規格に基づく通信を利用して、ＩＣタグ６０に記憶されたデータを受信する。
図２に示すように、プレイヤが腰に取り付けた携帯情報端末１に、プレイヤがゴルフクラブ６を近づけてかざすことで、携帯情報端末１のタグ情報受信部１１は、ＩＣタグ６０に記憶されたデータを受信する。なお、携帯情報端末１は、受信したデータの内容を表示部３１に表示してもよい。
【００２０】
ゴルフクラブ６とＩＣタグ６０とを対応付ける方法は、様々な装置が考えられる。なお、以下に説明するゴルフクラブ６とＩＣタグ６０とを対応付ける装置は、その一例にすぎない。
図３（１）は、ＩＣタグ６０ａをグリップ内に埋め込んだゴルフクラブ６ａを示す。図３（１）の場合には、ゴルフクラブのメーカが、ＩＣタグ６０ａのデータを予め格納してグリップに設けることになる。ＩＣタグ６０ａはゴルフに関する情報の１つであるクラブ情報として、クラブメーカの品番や、ゴルフクラブ６の番手のデータを含む。
図３（２）（ａ）は、ＩＣタグ６０ｘを埋め込んだマーカ６１を示す。（ｂ）に示すように、プレイヤは、プレイ前にマーカ６１をゴルフクラブ６のグリップ側の端部に施されたマーカ用の穴に取り付ける。そうすることで、プレイ時には、ゴルフクラブを（ｃ）に示す状態で使用する。
図３（３）（ａ）は、ＩＣタグ６０ｙを埋め込んだクリップ６２を示す。（ｂ）に示すように、プレイヤは、プレイ前にクリップ６２をゴルフクラブ６の柄の部分に取り付ける。そうすることで、プレイ時には、ゴルフクラブ６を（ｃ）に示す状態で使用する。
なお、図３（２）（３）に示す方法の場合には、ゴルフクラブ６への装着前に、予めＩＣタグ６０ｘ、６０ｙにプレイヤがデータを書き込んでおく必要がある。例えば、ＩＣタグ６０ｘ、６０ｙには、装着するゴルフクラブ６の番手や、プレイヤＩＤの等のデータを書き込む。これは、携帯情報端末１に、ＩＣタグ６０への書き込み用のアプリケーションプログラムをインストールすることで、ＮＦＣ通信部３３を介してＩＣタグ６０に書き込みができる。
【００２１】
図１に戻り、施設情報端末７は、ゴルフ場のクラブハウスの施設内に設置された端末である。施設情報端末７は、プレイヤがそのゴルフ場に到着時にチェックインする端末であってよい。施設情報端末７は、プレイヤのプレイ前に、携帯情報端末１にコースデータを提供する。また、施設情報端末７は、プレイ後に、携帯情報端末１からスコアを受信する。
施設情報端末７は、制御部７０と、ＮＦＣ通信部７３と、通信部７４と、記憶部７５とを備える。
制御部７０は、施設情報端末７の全体を制御するＣＰＵである。制御部７０は、記憶部７５に記憶されているＯＳやアプリケーションプログラムを適宜読み出して実行することにより、上述したハードウェアと協働し、本発明に係る各種機能を実現している。
ＮＦＣ通信部７３は、例えば、ＮＦＣの仕様により作成された読み取り及び書き込み装置であり、ＮＦＣ規格に基づく通信を利用して携帯情報端末１と通信をする。
通信部７４は、サーバ８等との間で通信を行うための通信インタフェースである。
記憶部７５は、制御部７０を実行するために必要なプログラム、データ等を記憶するためのハードディスク、半導体メモリ素子等の記憶領域である。記憶部７５は、コース情報記憶部７６を備える。コース情報記憶部７６は、携帯情報端末１のコース情報記憶部２２に記憶させるためのデータを記憶する。コース情報記憶部２２には、本日のコースデータだけでなく、過去のコースデータを記憶してもよい。
【００２２】
サーバ８は、複数のゴルフ場に設置された施設情報端末７に対して通信回線を介して接続されている。サーバ８は、携帯情報端末１に対しても通信回線を介して接続されており、スコアを分析したり、過去のスコアの中から参考になるスコアを選出して、アドバイスとして出力したりする。
サーバ８は、制御部８０と、通信部８４と、記憶部８５とを備える。
制御部８０は、サーバ８の全体を制御するＣＰＵである。制御部８０は、記憶部８５に記憶されているＯＳやアプリケーションプログラムを適宜読み出して実行することにより、上述したハードウェアと協働し、本発明に係る各種機能を実現している。
制御部８０は、スコア分析部８１と、スコア選出部８２とを備える。
スコア分析部８１は、スコア記憶部８６に記憶された様々なプレイヤのスコアを分析する。スコア分析部８１は、例えば、プレイヤごとにスコアを分析してもよいし、ゴルフ場ごとにスコアを分析してもよい。また、スコア分析部８１は、ハンディキャップが同じプレイヤのデータを抽出して、分析してもよい。
スコア選出部８２は、携帯情報端末１から問合せデータを受信することで、アドバイスになり得るスコアを選出する。
通信部８４は、施設情報端末７や、携帯情報端末１等との間で通信を行うための通信インタフェースである。
記憶部８５は、制御部８０を実行するために必要なプログラム、データ等を記憶するためのハードディスク、半導体メモリ素子等の記憶領域である。記憶部８５は、スコア記憶部８６を備える。スコア記憶部８６は、施設情報端末７から受信したスコアを記憶する。
【００２３】
（プレイ前の準備処理）
次に、ゴルフのプレイを開始する前の準備処理について説明する。
図４は、第１実施形態に係るプレイ前処理のフローチャートである。
ステップＳ（以下、「Ｓ」という。）１において、携帯情報端末１の制御部１０は、プログラム記憶部２１に記憶されたゴルフ支援プログラムを起動する。
Ｓ２において、プレイヤの入力に応じて、携帯情報端末１の制御部１０は、モードを「プレイ前モード」に設定する。
ここで、ゴルフ支援プログラムが行うモードについて説明する。ゴルフ支援プログラムは、「プレイ前モード」と、「プレイ中モード」と、「プレイ後モード」との３つのモードを有する。その中で、「プレイ前モード」は、携帯情報端末１をプレイで使用するための事前準備を行うモードである。「プレイ前モード」では、携帯情報端末１は、コースデータをコース情報記憶部２２に記憶する。「プレイ中モード」と「プレイ後モード」とについては、後述する。
プレイヤは、クラブハウス内に設置された施設情報端末７のＮＦＣ通信部７３に携帯情報端末１をかざす。そうすることで、Ｓ３において、携帯情報端末１の制御部１０は、コースデータの要求を、施設情報端末７に対して送信する。
【００２４】
Ｓ４において、施設情報端末７の制御部７０は、ＮＦＣ通信部７３が受信した信号に基づいて、携帯情報端末１を認識する。
Ｓ５において、施設情報端末７の制御部７０は、コース情報記憶部７６に記憶されたコースデータを、ＮＦＣ通信部７３を介して送信する。その後、施設情報端末７の制御部７０は、本処理を終了する。
Ｓ６において、携帯情報端末１の制御部１０は、コースデータを受信して、コース情報記憶部２２に記憶させる。その後、携帯情報端末１の制御部１０は、本処理を終了する。
【００２５】
なお、Ｓ３において、携帯情報端末１がコースデータの要求と共に、プレイヤ情報記憶部２５に記憶されたプレイヤＩＤを送信することで、施設情報端末７は、プレイヤＩＤからプレイヤを特定して、そのプレイヤのスタート時刻及びスタートホールを含むコースデータを携帯情報端末１に送信してもよい。
また、施設情報端末７は、プレイを共にする他のプレイヤやキャディ等の人に関するプロフィールを携帯情報端末１に送信してもよい。
このように、携帯情報端末１は、プレイ開始前に事前にＮＦＣ規格に基づく通信によって、施設情報端末７に記憶されたコースデータをダウンロードすることで、携帯情報端末１は、プレイ開始時までに予めコースデータをコース情報記憶部２２に記憶できる。
【００２６】
（プレイ中の処理）
次に、プレイ中の携帯情報端末１の処理について説明する。図５及び図６は、第１実施形態に係る携帯情報端末１のプレイ中処理のフローチャートである。図７及び図８は、第１実施形態に係る携帯情報端末１の表示部３１に表示される画面例を示す図である。
図５のＳ２１において、携帯情報端末１の制御部１０は、プログラム記憶部２１に記憶されたゴルフ支援プログラムを起動する。なお、プレイ前の処理によってゴルフ支援プログラムが起動中のままである場合には、本処理を行う必要はない。
【００２７】
Ｓ２２において、制御部１０は、モードを「プレイ中モード」に設定する。「プレイ中モード」は、携帯情報端末１を実際にプレイで使用するモードである。「プレイ中モード」では、携帯情報端末１は、ホールの地図を表示部３１に表示する。また、携帯情報端末１は、ＩＣタグ６０のデータをいつでも受信可能なスタンバイ状態にする。
Ｓ２３において、位置取得部１３は、ＧＰＳ機能を利用して位置データを取得する。
Ｓ２４において、制御部１０は、取得した位置データに基づいて、その位置がホールのティーグラウンド付近であるか否かを判断する。位置がホールのティーグラウンド付近であるか否かは、各ホールのティーグラウンドの位置を予めホール情報２３に記憶しておき、ティーグラウンドの位置と、取得した位置データによる位置との間の距離の誤差が、例えば２０ｍ以内であるか否かにより判断できる。取得した位置データによる位置がティーグラウンド付近である場合（Ｓ２４：ＹＥＳ）には、制御部１０は、処理をＳ２５に移す。他方、取得した位置データによる位置がティーグラウンド付近ではない場合（Ｓ２４：ＮＯ）には、制御部１０は、処理をＳ２６に移す。
【００２８】
Ｓ２５において、制御部１０は、そのホールの風速計３に対して風速及び風向のデータを要求する。そして、制御部１０は、風速計３から風速及び風向のデータを受信する。制御部１０は風速計３を、予めホール情報２３に記憶された風速計３の識別ＩＤで特定できる。
Ｓ２６において、表示制御部１６は、取得した位置データに応じたホールの地図を表示部３１に表示させる。例えば、プレイヤが１番ホールに移動した場合には、表示部３１は、図７（１）に示す１番ホールの地図を表示する。図７（１）では、Ｓ２５で取得した風速及び風向のデータを、風速等表示領域３１ａに表示している。
【００２９】
図５に戻り、Ｓ２７において、制御部１０は、入力部３２により問合せデータを受け付けたか否かを判断する。ここで、問合せデータとは、ショットの前にプレイヤがプレイのヒントを得るためのキャディ情報等のデータである。予め入力部３２には、問合せ用のボタン等が設定されているものとする。問合せデータを受け付けた場合（Ｓ２７：ＹＥＳ）には、制御部１０は、処理をＳ２８に移す。他方、問合せデータを受け付けていない場合（Ｓ２７：ＮＯ）には、制御部１０は、処理をＳ２９に移す。
Ｓ２８において、制御部１０は、後述する問合せ処理を行う。
【００３０】
Ｓ２９において、タグ情報受信部１１は、ゴルフクラブ６のＩＣタグ６０を読み取ったか否かを判断する。ＩＣタグ６０を読み取った場合（Ｓ２９：ＹＥＳ）には、制御部１０は、処理を図６のＳ３０に移す。他方、ＩＣタグ６０を読み取っていない場合（Ｓ２９：ＮＯ）には、制御部１０は、処理をＳ２３に移す。
なお、プレイヤは、ショットをするごとにゴルフクラブ６を携帯情報端末１にかざして近づける。
図６のＳ３０において、スコア作成部１２は、スコアを作成する。具体的には、スコア作成部１２は、ＩＣタグ６０を読み取った時点での位置データと、ＩＣタグ６０に記憶されたクラブ情報とを対応付けて、プレイ情報記憶部２４に記憶する。なお、ティーグラウンドからの第１打の場合には、風速及び風向のデータも位置データに対応付けて記憶する。
【００３１】
Ｓ３１において、表示制御部１６は、表示部３１に出力するホールの地図を更新して表示する。具体的には、図７（２）に示すように、制御部１０は、プレイ情報記憶部２４に記憶されたデータに基づいて、打点位置と、何打目であるかという数字と、その時に使用したゴルフクラブの番手とを対応付けて表示部３１に表示する。なお、打点位置は、ゴルフクラブ６のＩＣタグ６０を読み取った位置である。
また、図８は、１番ホールのプレイが終了した時点で、表示部３１に表示されたホールの地図である。この場合には、プレイヤは、第１打として「１Ｗ」（１番ウッド）を、第２打では「５Ｉ」（５番アイアン）を、第３打では「ＰＷ」（ピッチングウェッジ）を、第４打と第５打とは「ＰＴ」（パター）を各々用いて、ホールアウトしたことが分かる。
Ｓ２９からＳ３１までの処理は、プレイ終了まで継続される。これにより、携帯情報端末１は、各ホールでの１打目からチップインまでの情報を取得できる。
Ｓ３２において、制御部１０は、プレイ終了か否かを判断する。プレイ終了か否かは、例えば、プレイヤが入力部３２を操作して、プレイ終了の旨を指示することで判断できる。また、例えば、取得した位置データにより、プレイ終了であるか否かを判断してもよい。プレイ終了である場合（Ｓ３２：ＹＥＳ）には、制御部１０は、本処理を終了する。他方、プレイ終了ではない場合（Ｓ３２：ＮＯ）には、制御部１０は、処理を図５のＳ２３に移す。
【００３２】
次に、問合せ処理について説明する。プレイヤは、例えば、各ホールでのプレイ前にこの問合せ処理をすることにより、そのホールのプレイの参考にすることができる。図９は、第１実施形態に係る問合せ処理のフローチャートである。
Ｓ４１において、携帯情報端末１の問合せ送信部１５は、問合せデータをサーバ８に対して送信する。問合せデータは、プレイヤ情報記憶部２５に記憶されたプレイヤＩＤ、及びコースデータを含む。
Ｓ４２において、サーバ８の制御部８０は、問合せデータを受信する。
Ｓ４３において、サーバ８のスコア選出部８２は、問合せに関連するスコアを選出する。具体的には、スコア分析部８１は、プレイヤＩＤにより、スコア記憶部８６に記憶されているそのプレイヤのスコアを抽出して、そのプレイヤの技量を類推する。そして、スコア選出部８２は、そのプレイヤの技量より少し優れた技量（例えば、打数が１少ない等）のプレイヤの、当該ホールのスコアをスコア記憶部８６から選出する。なお、問合せデータに風速及び風向のデータを有する場合には、スコア選出部８２は、その風速及び風向のデータを考慮してスコアを抽出してもよい。
Ｓ４４において、サーバ８の制御部８０は、選出した選出スコアを問合せ元の携帯情報端末１に対して送信する。その後、サーバ８は、本処理を終了する。
Ｓ４５において、携帯情報端末１の制御部１０は、選出スコアを受信する。
Ｓ４６において、携帯情報端末１の表示制御部１６は、選出スコアを表示部３１に表示する。その後、携帯情報端末１は、本処理を終了する。
この選出スコアの表示は、例えば、表形式であってもよく、また、プレイヤがイメージしやすいように、選出スコアの打点及びゴルフクラブの番手等のデータをホールの地図上に表示してもよい。
【００３３】
（プレイ後の処理）
次に、プレイ後の処理について説明する。図１０は、第１実施形態に係るプレイ後処理のフローチャートである。
Ｓ６１において、携帯情報端末１の制御部１０は、プログラム記憶部２１に記憶されたゴルフ支援プログラムを起動する。なお、プレイ中の処理等によってゴルフ支援プログラムが起動中のままである場合には、本処理を行う必要はない。
【００３４】
Ｓ６２において、携帯情報端末１の制御部１０は、モードを「プレイ後モード」に設定する。「プレイ後モード」は、携帯情報端末１に記憶されたプレイのスコアを、施設情報端末７に送信するモードである。
プレイヤは、クラブハウス内に設置された施設情報端末７のＮＦＣ通信部７３に携帯情報端末１をかざして近づける。そうすることで、Ｓ６３において、携帯情報端末１のスコア送信部１４は、プレイ情報記憶部２４に記憶されたスコアを、施設情報端末７に対して送信する。
Ｓ６４において、施設情報端末７の制御部７０は、ＮＦＣ通信部７３を介して信号を受信して、携帯情報端末１を認識する。
Ｓ６５において、施設情報端末７の制御部７０は、携帯情報端末１から送信されたスコアを受信する。
Ｓ６６において、施設情報端末７の制御部７０は、記憶部７５にスコアを記憶する。
Ｓ６７において、施設情報端末７の制御部７０は、受信結果をＮＦＣ通信部７３を介して送信する。その後、施設情報端末７の制御部７０は、本処理を終了する。
Ｓ６８において、携帯情報端末１の制御部１０は、受信結果を受信して表示する。プレイヤは、表示された画面を見ることで正常にスコアが送信されたことを確認できる。その後、携帯情報端末１の制御部１０は、本処理を終了する。
なお、施設情報端末７は、Ｓ６６において記憶したスコアをサーバ８に対して送信する。送信のタイミングは、記憶部７５に記憶したときでもよいし、日中記憶されたデータをまとめて夜間等にバッチ処理にて行ってもよい。そのようにすることで、サーバ８のスコア記憶部８６は、様々なゴルフコースのスコアを蓄積する。そして、その蓄積されたスコアは、スコア分析に利用できる。
【００３５】
（プレイヤ同士のスコア交換）
プレイヤは、携帯情報端末１を用いて、他のプレイヤとスコアを交換して、共有することができる。図１１は、第１実施形態に係るプレイヤ同士でのスコアの通信に関する図である。
プレイヤＰ１とプレイヤＰ２とは、一緒にホールを回っているプレイヤである。プレイヤＰ１の携帯情報端末１Ａと、プレイヤＰ２の携帯情報端末１Ｂとは、近づけることで、ＮＦＣ通信機能の１つであるピアツーピア（Ｐ２Ｐ）通信をしてスコアの授受を行うことができる。よって、時間と場所とを選ばずに、プレイ中であっても、プレイ後であっても、どこの場所においてでも、プレイヤの携帯情報端末１と他のプレイヤの携帯情報端末１とが近づくだけで通信でき、プレイヤは、他のプレイヤのスコアを把握できる。
【００３６】
また、携帯情報端末１Ａと、携帯情報端末１Ｂとは、プレイヤＰ１と、プレイヤＰ２とのスコアの交換時に、スコアに加えてクラブ情報を送信する。これにより、プレイヤは、そのゴルフクラブ６を使用時のスコアを参照し、ゴルフクラブ６の購入の参考にできる。ゴルフクラブ６のメーカにとっても、ゴルフクラブ６にその品番等が記憶されたＩＣタグ６０を埋め込むことは、売り上げ向上に有効な手段である。
【００３７】
このように、第１実施形態によれば、以下のような効果がある。
（１）近距離無線通信により、携帯情報端末１がゴルフクラブ６に設けられたＩＣタグ６０に記憶されたクラブ情報を受信するので、誤って他のＩＣタグに記憶されたデータを得るといった誤入力を防ぐことができる。具体的には、プレイヤがプレイ（スイング）の前又は後に、使用したゴルフクラブ６を携帯情報端末１にかざして近づけることで、確実に所望のＩＣタグ６０に記憶されたクラブ情報として、クラブの品番や番手等のデータを取得できる。
（２）この近距離無線通信は、ＮＦＣを使用する。よって、使用可能な端末の制限が少なく、汎用性を向上できる。
【００３８】
（３）携帯情報端末１は、ＩＣタグ６０から受信したクラブ情報と、位置データとをホール情報に反映させてスコアを作成できる。よって、プレイヤによる手入力を不要とし、詳細なスコアを作成できる。また、これらのスコア作成のためのデータを携帯情報端末１に記憶するので、後からプレイを振り返ることが容易になる。
（４）携帯情報端末１は、風速及び風向のデータを対応付けてスコアを作成できる。
（５）サーバ８は、携帯情報端末１から施設情報端末７を介してスコアを受信して記憶する。よって、サーバ８は、複数の携帯情報端末１からスコアを受信して記憶できる。
（６）携帯情報端末１がホールを特定するコースデータを含む問合せデータをサーバに送信することで、サーバ８は、スコアを分析して選出スコアを選出できる。よって、サーバ８は、プレイヤにとって参考になり得るスコアを選出して携帯情報端末１に送信できる。このため、プレイヤは、それを参考にプレイをすることができる。
【００３９】
（第２実施形態）
第２実施形態では、携帯情報端末が近距離通信のみができる端末であり、ＧＰＳによる通信や通信回線を介した通信を行うための通信部を備えない場合について説明する。なお、以降の説明において、上述した第１実施形態と同様の機能を果たす部分には、同一の符号又は末尾に同一の符号を付して、重複する説明を適宜省略する。
【００４０】
図１２は、第２実施形態に係るゴルフ支援システム２００の全体構成及び携帯情報端末２０１の機能構成を示す図である。図１３は、第２実施形態に係るＩＣタグ２４０、２５０の例を示す図である。
（システム構成）
図１２のゴルフ支援システム２００は、携帯情報端末２０１と、打数札２０４と、ホール案内板２０５とを備える。
携帯情報端末２０１の制御部２１０は、タグ情報受信部２１１と、スコア作成部２１２と、表示制御部１６とを備える。携帯情報端末２０１の記憶部２２０は、プログラム記憶部２２１と、コース情報記憶部２２２と、プレイ情報記憶部２２４とを備える。
タグ情報受信部２１１（タグ情報受信部、ホール情報受信部）は、ＩＣタグ２４０、２５０からそのＩＣタグ２４０、２５０に記憶されたデータを受信する。
スコア作成部２１２は、タグ情報受信部２１１が受信した打数データと、ホールに関するデータとからスコアを作成する。
プログラム記憶部２２１は、本実施形態を実現するためのゴルフ支援プログラムを記憶する。
コース情報記憶部２２２は、ホール案内板２０５に設けられたＩＣタグ２５０（ホールタグ）から、ホールに関するデータとしてコースに関する情報と、ホール情報２２３とを受信して記憶する。
プレイ情報記憶部２２４は、プレイヤが実際にプレイした情報として、打数札２０４のＩＣタグ２４０のデータを記憶する。
【００４１】
打数札２０４（２０４ａ、２０４ｂ、・・・）は、プレイヤが所持し、打数を入力するためのものである。打数札２０４は、ＩＣタグ２４０を有する。ＩＣタグ２４０は、携帯情報端末２０１との間で近距離無線通信による非接触通信するＲＦＩＤタグである。ＩＣタグ２４０は、本実施形態では、ＮＦＣの仕様により作成された集積回路（図示せず）とループアンテナ（図示せず）とを備える。携帯情報端末２０１のタグ情報受信部２１１は、ＮＦＣ通信部３３を介し、ＮＦＣ規格に基づく通信を利用してＩＣタグ２４０に記憶された打数データ（ゴルフ情報）を受信する。
図１３（１）は、ＩＣタグ２４０が埋め込まれた打数札２０４である。図１３（１）（ａ）に示すように、打数札２０４は、その表面に、ホール終了時のパー（基準打数）からの増減を入力するための印字がされている。図１３（１）（ｂ）に示すように、各打数札２０４（２０４ａ、２０４ｂ、・・・）には、その内部にＩＣタグ２４０（２４０ａ、２４０ｂ、・・・）が埋め込まれている。プレイヤは、打数札２０４を、例えば、キャディバッグ等にぶら下げておき、ホール終了時に、該当の増減が印字された打数札２０４を取り出して、携帯情報端末２０１にかざして近づける。そうすることで、携帯情報端末２０１は、ＩＣタグ２４０の打数データを読み取る。
【００４２】
打数を入力するためのものとして、打数札２０４の他に様々な装置が考えられる。
図１３（２）は、打数を入力するための他の一例であり、打数カウンタ２０４−２である。図１３（２）（ａ）に示すように、打数カウンタ２０４−２は、打数を表示する窓部がある。プレイヤは、ティーグラウンドで窓部の表示を「０」に設定して、１打ごとに１ずつ増えるように回転操作する。図１３（２）（ｂ）（ｃ）に示すように、数字が付された場所には、ＩＣタグ２４０−２が設けられている。また、打数カウンタ２０４−２は、窓部以外が、遮蔽版で覆われている。プレイヤは、ホール終了時に打数カウンタ２０４−２を携帯情報端末２０１にかざして近づける。そうすることで、携帯情報端末２０１は、窓部に表示された打数データ（図１３（２）（ｃ）では、ＩＣタグ２４０−２ｃのデータ）を取得できる。
【００４３】
図１２に戻り、ホール案内板２０５（２０５ａ、２０５ｂ、・・・）は、ホールのティーグラウンドに設置されたものである。ホール案内板２０５は、ＩＣタグ２５０（２５０ａ、２５０ｂ、・・・）を有する。ＩＣタグ２５０は、携帯情報端末２０１との間で近距離無線通信による非接触通信するＲＦＩＤタグである。ＩＣタグ２５０は、本実施形態では、ＮＦＣの仕様により作成された集積回路（図示せず）とループアンテナ（図示せず）とを備える。携帯情報端末２０１のタグ情報受信部２１１は、ＮＦＣ通信部３３を介し、ＮＦＣ規格に基づく通信を利用してＩＣタグ２５０に記憶されたデータを受信する。
図１３（３）は、ＩＣタグ２５０が設けられたホール案内板２０５である。ホール案内板２０５は、ホールの概要としてホール名や、基準打数、ホールの地図等のデータが表示されている。ＩＣタグ２５０には、ホールに関するデータ（例えば、基準打数、ピンの位置、ヤード数、ホールの特徴（右ドッグレッグ等のデータ、コース攻略のアドバイスデータ））が記憶されている。プレイヤは、ティーグラウンドで携帯情報端末２０１をホール案内板２０５のＩＣタグ２５０にかざして近づける。そうすることで、携帯情報端末２０１は、ＩＣタグ２５０に記憶されているホールに関するデータを取得できる。
【００４４】
（プレイ中の処理）
次に、プレイ中の携帯情報端末２０１の処理について説明する。図１４は、第２実施形態に係る携帯情報端末２０１のプレイ中処理のフローチャートである。図１５は、第２実施形態に係る携帯情報端末２０１の記憶部２２０に記憶されるデータの例を示す図である。
図１４のＳ２０１において、携帯情報端末２０１の制御部２１０は、プログラム記憶部２２１に記憶されたゴルフ支援プログラムを起動する。ゴルフ支援プログラムを起動することで、携帯情報端末２０１は、ＩＣタグ２４０やＩＣタグ２５０のデータをいつでも受信可能なスタンバイ状態にする。
【００４５】
プレイヤが、携帯情報端末２０１を携えてホールのティーグラウンドに行き、ホール案内板２０５に携帯情報端末２０１をかざして近づけることで、Ｓ２０２において、タグ情報受信部２１１は、ホール案内板２０５のＩＣタグ２５０を読み取る。
Ｓ２０３において、表示制御部１６は、ＩＣタグ２５０から読み取ったホール情報を表示部３１に表示させる。また、制御部２１０は、ＩＣタグ２５０から読み取ったホール情報をコース情報記憶部２２２にホール情報２２３として記憶する。図１５は、記憶部２２０に記憶されるコース情報及びプレイ情報を表形式にしたものである。（＃１）は、ホール情報としてホール情報２２３に記憶される部分であり、各ホールで１レコード分が記憶される。
図１４に戻り、プレイヤは、１つのホールをプレイし終えて、基準打数からの増減が決定したところで、該当の打数札２０４を携帯情報端末２０１にかざして近づける。そうすることで、Ｓ２０４において、タグ情報受信部２１１は、打数札２０４のＩＣタグ２４０を読み取る。
【００４６】
Ｓ２０５において、表示制御部１６は、ＩＣタグ２４０から読み取った打数データを表示部３１に表示させる。また、制御部２１０は、ＩＣタグ２４０から読み取った打数データをプレイ情報記憶部２２４に記憶する。図１５（＃２）は、プレイ情報としてプレイ情報記憶部２２４に記憶される部分であり、その直前に読み取ったホール情報に対応付けて１レコード分が記憶される。
図１４に戻り、Ｓ２０６において、スコア作成部２１２は、スコアを作成する。また、表示制御部１６は、スコアを表示部３１に表示させる。図１５（＃３）は、スコア作成部２１２により作成されたスコアである。
図１４に戻り、Ｓ２０７において、制御部２１０は、１８ホール分について行ったか否かを判断する。１８ホール分について行った場合（Ｓ２０７：ＹＥＳ）には、制御部２１０は、本処理を終了する。他方、１８ホール分について行っていない場合（Ｓ２０７：ＮＯ）には、制御部２１０は、処理をＳ２０２に移す。
【００４７】
なお、プレイ中処理として、例えば、各ホール終了時に、携帯情報端末２０１にＩＣタグ２４０を読み取らせた後に、プレイヤは、携帯情報端末２０１を他のプレイヤの携帯情報端末２０１に近づけて、Ｐ２Ｐ通信によりスコア交換を行うことができる。このようにすることで、スコアカードを持ってプレイするのと同じように、一緒にラウンドしている他のプレイヤのスコアを記録することができる。
また、プレイヤは、プレイ終了後に自宅等に戻った際に、自宅に設置されたリーダライタ付きのパーソナルコンピュータに携帯情報端末２０１をかざすことで、携帯情報端末２０１に記憶されたスコアをサーバ（第１実施形態のサーバ８）に、アップロードしてもよい。そのようにすることで、プレイヤのスコアの分析等に利用できる。
【００４８】
このように、第２実施形態によれば、以下のような効果がある。
（１）携帯情報端末２０１は、打数札２０４に設けられたＩＣタグ２４０に記憶された打数データを近距離無線通信により受信することができる。よって、例えば、ホール終了時に打数札２０４をプレイヤが携帯情報端末２０１に近づけることで、携帯情報端末２０１は、そのホールの打数データを取得できる。
（２）携帯情報端末２０１は、例えば、ホール案内板２０５に設けられたＩＣタグ２５０からホールに関するデータ（例えば、基準打数等）を受信して、記憶することができる。
【００４９】
以上、本発明の実施形態について説明したが、本発明は上述した実施形態に限定されるものではない。また、実施形態に記載した効果は、本発明から生じる最も好適な効果を列挙したに過ぎず、本発明による効果は、実施形態に記載したものに限定されない。なお、上述した実施形態及び後述する変形形態は、適宜組み合わせて用いることもできるが、詳細な説明は省略する。
【００５０】
（変形形態）
（１）第１実施形態では、携帯情報端末は、ＩＣタグをいつでも読み取り可能なスタンバイ状態にしつつ、表示部には、ホールの地図を表示するものとして説明した。しかし、表示部の表示は、これに限定されない。例えば、表示部の表示画面を２分割にして、一方にホールの地図を表示させ、他方には、ＩＣタグの読み取り可能なスタンバイ状態であることを表示させてもよい。また、表示部は、ＩＣタグを読み取った時にのみ、ホールの地図から読み取りができた旨の表示に切り替えてもよい。
（２）第１実施形態では、携帯情報端末の表示部には、プレイ中にはホールの地図を表示するものとして説明した。しかし、コースデータに、一般的なアドバイスを含むキャディデータを有する場合には、携帯情報端末は、そのキャディデータをホールの地図と共に表示部に表示してもよい。
【００５１】
（３）第１実施形態では、施設情報端末は、クラブハウス等の施設内に設置されるものとして説明したが、例えば、プレイヤが移動手段に用いるカートに設置されるものであってもよい。その場合には、ＮＦＣ規格に基づく通信を逐次利用して、スコアをカートに設置の端末に送信できる。
（４）第１実施形態では、ゴルフ支援システムが、風速計を備えるものとして説明したが、雨量や、湿度や、気温等の気象データを測定するものを備えてもよい。
（５）第１実施形態では、風速計の風速及び風向のデータを、通信回線を介して携帯情報端末に送信するものとして説明したが、風速計にＮＦＣ装置を組み込むことで、直接携帯情報端末にＰ２Ｐ等で送信してもよい。
（６）第１実施形態では、風速計の風速及び風向のデータを携帯情報端末が受信するものとして説明したが、施設情報端末が受信するものとしてもよい。
（７）第１実施形態では、プレイ後の処理として、携帯情報端末に記憶されたスコアを施設情報端末に送信するものとして説明した。そして、施設情報端末は、サーバにスコアを送信するものとして説明したが、施設情報端末に接続されたプリンタにスコアを出力してもよい。
【００５２】
（８）第１実施形態では、ＩＣタグをゴルフクラブに直接つけるものとして説明した。しかし、直接ゴルフクラブにタグをつける方法に限定されない。例えば、図１６に示すようなものであってもよい。図１６は、変形形態に係るゴルフクラブに関するデータを有するＩＣタグの例を示す図である。図１６（１）（ａ）に示すクラブ選択用札は、その表面に、クラブの番手が印字されている。そして、クラブ選択用札は、その内部に印字された番手に対応するゴルフクラブに関するデータを有するＩＣタグが埋め込まれている（図１６（１）（ｂ））。プレイヤは、プレイで使用したクラブの番手が印字されたクラブ選択用札を携帯情報端末にかざして近づける。図１６（２）（ａ）は、クラブ選択用カウンタを示す。クラブ選択用カウンタは、番手を表示する窓部がある。番手が付された場所には、ＩＣタグが設けられている（図１６（２）（ｂ）、（ｃ））。また、窓部以外の部分は、遮蔽版で覆われている。プレイヤは、クラブ選択用カウンタを回転させてプレイで使用したクラブの番手を窓部に表示して、プレイのたびに携帯情報端末にかざして近づける。
【００５３】
（９）第２実施形態では、携帯情報端末は、ホール案内板に設けられたＩＣタグからホールに関するデータを取得するものとして説明した。しかし、ホール案内板に限られず、コース案内板等にＩＣタグを設けて、コースに関するデータを取得してもよい。
また、クラブハウス等に貼付されたポスターに、ニアピンやドラコンホール、賞品が出るホールが設定されたホールに関するデータを記憶したＩＣタグを設けてもよい（いわゆるスマートポスター）。携帯情報端末がそのＩＣタグを読み取って表示することで、プレイヤに、ニアピンやドラコンホール等を告知できる。また、ゴルフコース管理者がポスターのＩＣタグを貼りかえるだけで、その設定を変更できる。
【符号の説明】
【００５４】
１，２０１  携帯情報端末
２      ＧＰＳ衛星
３      風速計
６      ゴルフクラブ
７      施設情報端末
８      サーバ
１０，７０，８０，２１０  制御部
１１，２１１  タグ情報受信部
１２，２１２  スコア作成部
１３    位置取得部
１４    スコア送信部
１５    問合せ送信部
１６    表示制御部
２０，７５，８５，２２０  記憶部
２１，２２１  プログラム記憶部
２２，２２２  コース情報記憶部
２３，２２３  ホール情報
２４，２２４  プレイ情報記憶部
２５    プレイヤ情報記憶部
３１    表示部
３２    入力部
３３    ＮＦＣ通信部
３４，７４，８４  通信部
６０，２４０，２４０−２，２５０  ＩＣタグ
７６    コース情報記憶部
８１    スコア分析部
８２    スコア選出部
８６    スコア記憶部
１００，２００  ゴルフ支援システム
【図１】
2014026513.tif 000003
【図２】
2014026513.tif 000004
【図３】
2014026513.tif 000005
【図４】
2014026513.tif 000006
【図５】
2014026513.tif 000007
【図６】
2014026513.tif 000008
【図７】
2014026513.tif 000009
【図８】
2014026513.tif 000010
【図９】
2014026513.tif 000011
【図１０】
2014026513.tif 000012
【図１１】
2014026513.tif 000013
【図１２】
2014026513.tif 000014
【図１３】
2014026513.tif 000015
【図１４】
2014026513.tif 000016
【図１５】
2014026513.tif 000017
【図１６】
2014026513.tif 000018